(57)【要約】      （修正有）【課題】ボックスシーツをかけたまま折り畳み式マットレスを畳んだ際に、折り畳み式マットレスからボックスシーツが外れてしまい、再び折り畳み式マットレスを広げる際にボックスシーツをかけ直さなければならないという不便さを解消するための補助具を提供する。【解決手段】互いの中心部分で異なる斜め方向に結合した二本の伸縮性のあるバンドと、このバンドの先端に留具を設ける。使用に当たっては、前記バンドの先端は、折り畳み式マットレスの裏側中央部を覆うように、ボックスシーツの下縁に接続して用いる。【選択図】図２
0003149032.tif 000002
【実用新案登録請求の範囲】
【請求項１】
折り畳み式マットレスに使用するボックスシーツ外れ防止具であって、互いの中心部分で異なる斜め方向に結合した二本の伸縮性のあるバンドと、前記のバンドの先端に設けられた留具からなり、前記バンドの先端は、折り畳み式マットレスの裏側中央部を覆うように、ボックスシーツの下縁に接続して使用する、折り畳み式マットレスに使用するボックスシーツ外れ防止具。
【考案の詳細な説明】
【技術分野】
【０００１】
本考案は、折り畳み式マットレスに使用するボックシーツの外れ防止具に関するものである。
なお、本考案で「折り畳み式マットレス」とは、縦方向三段に折りたためるよう、三つの部分に分かれているマットレスのことをいう（図２，３）。
【背景技術】
【０００２】
従来はボックスシーツが折り畳み式マットレスから外れることを防止するものは存在しなかった。強いて言えば、ボックスシーツの下縁６の相対する長手方向二辺のうち、マットレスの縦方向の中心線から対称にある位置のそれぞれに、ボックスシーツを折り畳み式マットレスから外れにくくするために結ぶ紐を一本ずつ付けたボックスシーツが存在するのみである。
なお、本考案でいう、「ボックスシーツの下縁６」とは、図２のように、ボックスシーツでマットレスをくるんだ際にマットレスの裏側で環状になるボックスシーツの縁をいう。
【考案の開示】
【考案が解決しようとする課題】
【０００３】
本考案は、ボックスシーツを掛けたまま折り畳み式マットレスを畳むときに、ボックスシーツがマットレスから外れ、再びマットレスを使用する際にボックスシーツを掛け直さなければならないという不便さを解消するための補助具を提供することを目的とする。
前記従来のボックスシーツでは、折り畳み式マットレスにボックスシーツをかぶせた状態で、折り畳み式マットレスを畳みかけると、折り畳み式マットレスを畳んだ際に出来る谷部８からボックスシーツが浮き上がり、完全に畳むと、折り畳み式マットレスの四つの角からボックスシーツの四つの角が外れてしまい、その結果ボックスシーツ自体が折り畳み式マットレスから外れてしまう場合があり、折り畳み式マットレスを畳んだときにボックスシーツを折り畳み式マットレスから外れにくくするという効果は不完全であった。これにより、マットレスを広げる際にシーツを掛け直さなければならないという、不便さは解消されていない。
【課題を解決するための手段】
【０００４】
本考案の折り畳み式マットレスに使用するボックスシーツ外れ防止具は、互いの交差部４で異なる斜め方向に結合した二本の伸縮性のあるバンド１と、前記バンド１の先端２に設けられた留具３からなる、折り畳み式マットレスに使用するボックスシーツ外れ防止具である。
なお、本考案でいう、「交差部」とは、二本のバンドが交差し、結合されている位置をいう。
【考案の効果】
【０００５】
本考案の、折り畳み式マットレスに使用するボックスシーツ外れ防止具を、ボックスシーツの下縁の相対する長手方向二辺のうち一方の辺から他方の辺に向けて、折り畳み式マットレスの裏側中央部５を覆うように、それぞれの端部２をボックスシーツの下縁６と折り畳み式マットレスの折り目線７の交差する位置あたりに接続する。そうすると、ボックスシーツが、バンド１の縮性によって折り畳み式マットレスの裏側中央部５において緩みを生じることがないため、折り畳み式マットレスから外れなくなる。これにより、折り畳み式マットレスを畳んでも、折り畳み式マットレスを畳んだ際に出来る谷部８からボックスシーツは浮き上がらず、このため折り畳み式マットレスの四隅からボックスシーツが外れることはなく、結果的にマットレスからボックスシーツが外れることを防止できる。以上により、マットレスを広げる際にシーツを掛け直さなければならないという、不便さを解消することができる。
なお、本考案でいう「折り畳み式マットレスの裏側」とは折り畳み式マットレス底面をいい、本考案でいう「折り畳み式マットレスの中央部」とは、折り畳み式マットレスを縦方向三段に折り畳んだ際に真中の段になる部分をいい、本考案でいう「折り畳み式マットレスの折り目線７」とは、三つの部分に別れたマットレスの各々が接している線をいう。
【実施例１】
【０００６】
図１に示した折り畳み式マットレスに使用するボックシーツの外れ防止具の実施例について述べる。
図１に示した、折り畳み式マットレスに使用するボックスシーツの外れ防止具を、図２、３のように、バンドの端部２の一方をボックスシーツの下縁６と折り畳み式マットレスの折り目線７の交差する位置あたりに接続し、交差部４を挟んで反対側にある他方の端部２を、一方を接続した位置あたりの対角線上に当たるボックスシーツの下縁６と折り畳み式マットレスの折り目線７の交差する位置あたりに接続すると、ボックスシーツは、折り畳み式マットレスの裏側中央部５から外れなくなり、ボックスシーツ自体が折り畳みマットレスから外れにくくなる。
最も好ましい実施例は、バンドの端部２のうち二ヶ所が折り畳み式マットレスを畳んだ際に出来る山部９に掛るように、バンドをボックスシーツ下縁に接続する場合である。このように接続すると、バンドの縮性により、ボックスシーツが折り畳み式マットレスを畳んだ際に出来る山部９にしっかりと掛ったまま、折り畳み式マットレスを畳むことが出来る。
この場合、バンドの留具は、クリップ、ボタン、その他どのような物であってもかまわない。
【実施例２】
【０００７】
図３のように、折り畳み式マットレスの側面に持ち手をつけ、ボックスシーツ持ち手に該当する位置に開口部を設けることにより、ボックスシーツを掛けたまま、折り畳み式マットレスを持ち運ぶのが便利になる。
【図面の簡単な説明】
【０００８】
【図１】折り畳み式マットレスに使用するボックスシーツの外れ防止具の図である。
【図２】ボックスシーツの外れ防止具を付けてボックスシーツが掛けられた折り畳み式マットレスを広げた状態の図である。
【図３】ボックスシーツの外れ防止具を付けてボックスシーツが掛けられた折り畳み式マットレスを畳み掛けた状態の図である。
【符号の説明】
【０００９】
１バンド
２バンドの端部
３留具
４二本のバンドの交差部
５折り畳み式マットレスの裏側中央部
６ボックスシーツの環状の下縁
７折り畳み式マットレスの折り目線
８折り畳み式マットレスを畳んだ際に出来る谷部
９折り畳み式マットレスを畳んだ際に出来る山部
【図１】
0003149032.tif 000003
【図２】
0003149032.tif 000004
【図３】
0003149032.tif 000005
【手続補正書】
【提出日】平成21年1月8日(2009.1.8)
【手続補正１】
【補正対象書類名】図面
【補正対象項目名】図１
【補正方法】変更
【補正の内容】
【図１】
0003149032.tif 000006
【手続補正２】
【補正対象書類名】図面
【補正対象項目名】図２
【補正方法】変更
【補正の内容】
【図２】
0003149032.tif 000007
【手続補正３】
【補正対象書類名】図面
【補正対象項目名】図３
【補正方法】変更
【補正の内容】
【図３】
0003149032.tif 000008